(57)【要約】 【課題】  部品件数を削減し、構成を簡素化して取付け性および生産性を向上する。【解決手段】  一方の躯体２ａの壁面３ａに一方の見切り縁材５ａが固定され、他方の躯体２ｂの壁面３ｂに他方の見切り縁材５ｂが固定され、前記一方の見切り縁材５ａにはヒンジ手段９によって可動パネル８を角変位自在に連結し、他方の見切り縁材４ｂとともに他方の躯体２ｂの壁面３ｂに固定されるブラケット４３に保持される定荷重ばね４４によって一定の引張り力でばね付勢する。【選択図】      図１
2010106588.tif 000002
【特許請求の範囲】
【請求項１】
水平な幅方向に空隙をあけて隣接する２つの躯体のいずれか一方の壁面に固定され、上下方向の延びる第１見切り縁材と、
前記２つの躯体のいずれか他方に固定され、前記他方の躯体の壁面から垂直な方向に離反するにつれて空隙に臨む対向壁面から離反する方向に傾斜した傾斜案内部を有し、上下方向に延びる第２見切り縁材と、
前記幅方向一端部が前記第１見切り縁材に上下方向に平行なヒンジ軸線まわりに角変位自在に連結され、幅方向他端部が前記第２見切り縁材に当接して支持され、空隙を覆う可動パネルと、
可動パネルの幅方向一端部と第１見切り縁材とを、前記ヒンジ軸線まわりに角変位自在に連結するヒンジ手段と、
前記他方の躯体に設けられ、可動パネルを、空隙側から一定の引張り力でばね付勢する引張ばね手段とを含むことを特徴とする壁用伸縮継手装置。
【請求項２】
前記引張ばね手段は、前記第２見切り縁材とともに他方の躯体の壁面に固定されるブラケットと、このブラケットによって空隙内に回転自在に保持されたリールに帯状のばね部材が券回される定荷重ばねとを含み、前記ばね部材の先端部は、可動パネルの前記空隙に臨む裏面に連結されることを特徴とする請求項１記載の壁用伸縮継手装置。
【発明の詳細な説明】
【技術分野】
【０００１】
本発明は、隣接する２つの建物の各躯体間に目地などとして存在する空隙を塞いだ状態で、地震などによる各建物間の相対的変位を許容することができる壁用伸縮継手装置に関する。
【背景技術】
【０００２】
従来の壁用伸縮継手装置は、隣接する２つの建物の躯体間には、目地などの空隙が存在し、この空隙内へ外部から雨水およびごみなどが浸入することを防止するため、急激な地震などによる各壁体の相対変位を許容し、かつ空隙を塞いだ状態に維持するために、一方の壁体には戸先縁材が固定され、他方の壁体には吊元縁材が固定される。これらの縁材は、長尺材であって、各壁体に上下方向に延在して固定される。
【０００３】
複数のホルダ部材は、吊元縁材および戸先縁材間にわたって上下方向に間隔をあけて相互に平行に設けられる。これらのホルダ部材の前記戸先縁材側に配置される各一端部は、連結部材に連結され、したがって各ホルダ部材の各一端部は、前記連結部材に沿って前記等間隔をあけて一直線状に整列して配置される。また、各ホルダ部材の前記吊元縁材側に配置される各他端部は、ヒンジ部材によって吊元縁材に、上下方向に平行なヒンジ軸線まわりに回動自在に連結される。
【０００４】
各ホルダ部材の中間部に設けられる第１のばね係止部には、引張ばねの一端部が係止され、この引張ばねの他端部はヒンジ部材に設けられる第２のばね係止部に係止され、各ホルダ部材およびヒンジ部材間に引張ばねが装着される。
【０００５】
各ホルダ部材にはまた、カバー体が、前記引張ばねが装着される側とは反対側から装着される。前記引張ばねは、各ホルダ部材を、ヒンジ部材のヒンジ軸線を中心にして、各一端部が戸先縁材の外側からその戸先縁材に近接する回動方向にばね付勢する。このような引張ばねのばね力によって、各ホルダ部材およびカバー体の前記回動方向とは逆方向への回動を抑制し、各壁体の相対変位に伴う回動または風圧などによって空隙が開放されてしまうことを防止することができるように構成されている。
【０００６】
このように各建物間の空隙が開放されてしまうことを防止するために、引張ばねによって空隙側から可動パネルであるカバー体を弾発的な引張り力によってばね付勢する先行技術は、たとえば特許文献１に示されている。
【０００７】
【特許文献１】特開２００７−２３７２３号公報
【発明の開示】
【発明が解決しようとする課題】
【０００８】
このような従来の技術では、前記引張ばねは、可動パネルであるカバー体が角変位すると、引張り力は増加する方向に変化するため、構造的にも長いストロークを得ることが不可能であり、カバー体を大きな角度で角変位させることができないという問題がある。また、引張ばねは、長さに応じて引張り力が変化するので、カバー体への引張り力は、カバー体が閉じた状態では小さく、したがってわずかな風や気流によってカバー体が容易に開いてしまい、安定して閉鎖した状態を維持することができないという問題がある。
【０００９】
本発明の目的は、可動パネルを円滑に開閉動作させることができるとともに、安定した閉鎖状態を維持することができる壁用伸縮継手装置を提供することである。
【課題を解決するための手段】
【００１０】
本発明は、水平な幅方向に空隙をあけて隣接する２つの躯体のいずれか一方の壁面に固定され、上下方向の延びる第１見切り縁材と、
前記２つの躯体のいずれか他方に固定され、前記他方の躯体の壁面から垂直な方向に離反するにつれて空隙に臨む対向壁面から離反する方向に傾斜した傾斜案内部を有し、上下方向に延びる第２見切り縁材と、
前記幅方向一端部が前記第１見切り縁材に上下方向に平行なヒンジ軸線まわりに角変位自在に連結され、幅方向他端部が前記第２見切り縁材に当接して支持され、空隙を覆う可動パネルと、
可動パネルの幅方向一端部と第１見切り縁材とを、前記ヒンジ軸線まわりに角変位自在に連結するヒンジ手段と、
前記他方の躯体に設けられ、可動パネルを、空隙側から一定の引張り力でばね付勢する引張ばね手段とを含むことを特徴とする壁用伸縮継手装置である。
【００１１】
本発明に従えば、隣接した２つの建物などの躯体間には、目地などの空隙が存在し、一方の躯体の壁面には第１見切り縁材が固定され、他方の躯体には第２見切り縁材が固定される。第１見切り縁材は、上下方向に延びて設けられる。第２見切り縁材は、前記第１見切り縁材と同様に上下方向に延びて設けられ、傾斜案内部を有する。この傾斜案内部は、第２見切り縁材が固定される他方の躯体の壁面から垂直な方向に離反するにつれて空隙から離反する方向に傾斜している。
【００１２】
前記一方の縁材には、ヒンジ手段によって可動パネルが上下方向に平行なヒンジ軸線まわりに角変位自在に連結され、他方の躯体に設けられる引張ばね手段によって空隙側から一定の引張り力でばね付勢され、幅方向他端部は他方の見切り縁材に当接して支持される。
【００１３】
急激な地震または地盤の不等沈下などによって各躯体が相対的に近接する方向に変位すると、可動パネルは他方の見切り縁材の傾斜案内部によって他方の躯体の壁面から離反する方向に案内され、ヒンジ手段のヒンジ軸線まわりに角変位して、各躯体が近接する方向の相対的変位を許容し、空隙を塞いだ状態に維持することができる。また、各躯体が相対的に離反する方向に変位しても、可動パネルは前記引張ばね手段によって空隙側から一定の引張り力でばね付勢されているので、可動パネルの幅方向他端部を第２見切り縁材上に円滑に復帰させ、空隙を塞いだ状態に維持することができる。
【００１４】
さらに可動パネルが引張ばね手段によって空隙側から一定の引張り力でばね付勢されることによって、空隙内の作業や保守点検のために可動パネルを大きく角変位させて空隙を開放しても、可動パネルにはその角変位量にかかわらず引張ばね手段による引張り力は一定であるので、作業者が可動パネルを一定の角度位置に保つために大きな力で保持する必要がなく、また開閉時の操作性も良好であり、可動パネルを大きな開き角度で開放して、メンテナンス時の作業性を向上することができる。
【００１５】
また本発明は、前記引張ばね手段は、前記第２見切り縁材とともに他方の躯体の壁面に固定されるブラケットと、このブラケットによって空隙内に回転自在に保持されたリールに帯状のばね部材が券回される定荷重ばねとを含み、前記ばね部材の先端部は、可動パネルの前記空隙に臨む裏面に連結されることを特徴とする。
【００１６】
本発明に従えば、他方の躯体の壁面にはブラケットが第２見切り縁材とともに固定され、このブラケットには定荷重ばねが設けられ、空隙内に配置される。定荷重ばねは、リールに帯状のばね部材が券回された構成であり、ばね部材の先端部は可動パネルの空隙に臨む裏面に連結され、前述したように可動パネルを一定の引張り力で空隙側からばね付勢する。
【００１７】
このように引張ばね手段が構成されることによって、第２見切り縁材とともにブラケットを他方の躯体の壁面に固定することができるので、現場での取付け作業を簡素化し、引張ばね手段を他方の躯体に容易に設けることができる。また、引張ばね手段には定荷重ばねが用いられるので、可動パネルを大きな開き角度で角変位させることができ、施工時およびメンテナンス時において空隙を広く開放して、作業性を向上することができる。
【発明の効果】
【００１８】
本発明によれば、可動パネルが引張ばね手段によって空隙側から一定の引張り力でばね付勢されることによって、空隙内の作業や保守点検のために可動パネルを大きく角変位させて空隙を開放しても、可動パネルにはその角変位量にかかわらず引張ばね手段による引張り力は一定であるので、作業者が可動パネルを一定の角度位置に保つために大きな力で保持する必要がなく、また開閉時の操作性も良好であり、可動パネルを大きな開き角度で開放して、メンテナンス時の作業性を向上することができる。
【００１９】
また本発明によれば、第２見切り縁材とともにブラケットを他方の躯体の壁面に固定することができるので、現場での取付け作業を簡素化し、引張ばね手段を他方の躯体に容易に設けることができる。
【発明を実施するための最良の形態】
【００２０】
図１は本発明の実施の一形態の壁用伸縮継手装置１を示す水平断面図である。本実施の形態の壁用伸縮継手装置１は、一方の躯体２ａの壁面３ａに複数のアンカー体４によって固定される一方の見切り縁材５ａと、他方の躯体２ｂの壁面３ｂに複数のアンカー体６，７によって固定される他方の見切り縁材５ｂと、各見切り縁材５ａ，５ｂ間にわたって設けられる可動パネル８と、可動パネル８を一方の見切り縁材５ａに角変位自在に連結するヒンジ手段９と、可動パネル８を各躯体２ａ，２ｂ間の空隙１０側から一定の引張り力でばね付勢する引張ばね手段１１とを含む。
【００２１】
各躯体２ａ，２ｂは、図１の左右方向である水平な幅方向に目地などとして存在する空隙１０をあけて隣接するコンクリート壁であり、空隙１０を介して略鉛直な対向壁面１２ａ，１２ｂが対向し、他方の躯体２ｂの対向壁面１２ｂから前記引張ばね手段１１が空隙１０内に突出して設けられ、空隙１０側から前記可動パネル８を一定の引張り力で空隙１０側へばね付勢されるように構成される。
【００２２】
可動パネル８は、鋼板の曲げ加工材から成るカバープレート１４と、カバープレート１４に内部に埋め込まれた固定金具等によって固定される化粧パネル部材１５と、カバープレート１４および化粧パネル部材１５の幅方向一端部に固定される第１見切り部材１６と、カバープレート１４および化粧パネル部材１５の幅方向他端部に固定される第２見切り部材１７とを有する。
【００２３】
カバープレート１４は、平坦状の底部１８と、底部１８の幅方向一端部に直角に屈曲して連なる第１側部１９と、底部１８の幅方向他端部に所定の傾斜角度θを成して連なる第２側部２０とを有する。前記所定の角度θは、たとえば１３５°に選ばれる。
【００２４】
第１見切り部材１６は、長手方向に垂直な断面がＬ字状であって、ステンレス鋼またはアルミニウム合金の押出形材から成る。この第１見切り部材１６は、カバープレート１４の底部１８の幅方向一端部および第１側部１９に外側から装着され、ビス２１によって固定される。底部１８の幅方向他端部および第２側部２０には、第２見切り部材１７が装着され、ビス２２によって固定される。カバープレート１４には、化粧パネル部材１５が接着剤層２３によって接着され、化粧パネル部材１５の幅方向両端部の各端面と第１および第２見切り部材１６，１７との間には、コーキング材２４，２５が充填される。前記化粧パネル部材１５は、たとえば人工大理石などの化粧タイルなどによって実現されてもよい。
【００２５】
一方の見切り縁材５ａは、長手方向に垂直な断面が略Ｌ字状のアルミニウム合金の押出し形材から成り、一方の躯体２ａの壁面３ａに前記アンカー体６によって固定される基部２６と、基部２６に直角に連なる取付部２７と、取付部２７の前記基部２６寄りの付根から空隙１０内に直角に突出する補助カバー部２８とを有する。
【００２６】
このような一方の見切り縁材５ａが固定される一方の躯体２ａの壁面３ａには、図示しない連結構造体によって化粧パネル部材２９が前記壁面３ａから間隔をあけて壁面３ａと平行に設けられる。他方の躯体２ｂの壁面３ｂにもまた、同様な連結構造体によって化粧パネル部材３０が壁面３ｂから間隔をあけて同様に設けられる。これらの化粧パネル部材２９，３０は、前記可動パネル８が空隙１０を閉鎖した状態、すなわち設置当初の状態において、可動パネル８の化粧パネル部材１５と、ほぼ同一平面上に配置され、屋外空間３１から見た意匠上の美観が向上されている。
【００２７】
他方の見切り縁材５ｂは、他方の躯体２ｂの壁面３ｂに前述のアンカー体６，７によって固定される基部３２と、基部３２の幅方向中間部から屋外空間３１側（図１の下方）へ突出する突部３３とを有する。突部３３は、基部３２に対して垂直に連なる起立部３４と、起立部３４の遊端部に連なり、壁面３ｂから垂直な方向に離反するにつれて空隙１０から離反する方向に傾斜した傾斜案内部３５とを有する。
【００２８】
傾斜案内部３５は、可動パネル８が他方の見切り縁材５ｂに図１の下方から当接して支持された状態において、ほぼ平行に傾斜して形成されている。
【００２９】
ヒンジ手段９は、いわゆる丁番であって、ヒンジピン４０と、ヒンジピン４０にヒンジ軸線Ｌ１まわりに回転自在に連結される一方のヒンジ片４１と、ヒンジピン４０に前記一方のヒンジ片４１とヒンジ軸線Ｌ１方向に位置を違えて回転自在に連結される他方のヒンジ片４２とを有する。一方のヒンジ片４１は、複数のビスによって前記一方の見切り縁材５ａの取付部２７に固定される。他方のヒンジ片４２は、複数のビスによって可動パネル８の第１見切り部材１６および第１側部１９に固定される。
【００３０】
このようなヒンジ手段９は、図１の紙面に垂直な前後方向に沿ってヒンジ軸線Ｌ１上に複数設けられ、可動パネル８をヒンジ軸線Ｌ１まわりに角変位自在に一方の見切り縁材５ａに連結している。
【００３１】
前記他方の躯体２ｂの壁面３ｂにはまた、前記他方の見切り縁材５ｂとともにブラケット４３が前述の各アンカー体６，７によって固定され、このブラケット４３の対向壁面１２ｂから空隙１０内へ突出する部分には、定荷重ばね４４が壁面３ｂを含む鉛直な仮想一平面よりも空隙１０側に退避した位置に搭載され、前述したように可動パネル８を空隙１０側から一定の引張り力でばね付勢することができるように構成される。これらのブラケット４３および定荷重ばね４４とによって、前記引張ばね手段１１が構成される。
【００３２】
図２は引張りばね手段１１を図１の下方から見た側面図であり、図３は引張ばね手段１１の斜視図である。前記ブラケット４３は、平坦な板状体から成り、前記アンカー体６，７によって壁面３ｂ上に前述の他方の見切り縁材５ｂとともに固定される基板４６と、基板４６の長手方向一端部における長辺側の一側部から垂直に立ち上がる保持部４７とを有する。
【００３３】
保持部４７は、前記長手方向一端部における長辺方向一側部に直角に連なる第１部分４８と、第１部分４８の遊端部から直角に屈曲して延びる第２部分４９と、第２部分４９の遊端部にさらに屈曲し、前記第１部分４８と平行に延びる第３部分５０とを有する。第１部分４８と第３部分５０間にわたって支軸５１の軸線方向両端部が貫通して嵌り込んだ状態で保持され、この支軸５１には前記定荷重ばね４４が設けられる。
【００３４】
定荷重ばね４４は、支軸５１の軸線Ｌ２まわりに回転自在に指示されるリール５２と、リール５２に巻回される帯状のばね部材５３とを有する。前記ばね部材５３は、ばね用ステンレス鋼帯から成り、一定の引張り力として、たとえば２３．５Ｎの引張り力を発生することができる。
【００３５】
図４は定荷重ばね４４のばね部材５３の引張り力と引出し量との関係を示すグラフである。同図から明らかなように、前記定荷重ばね４４は、リール５２が約１／２回転に相当するストロークだけばね部材５３が引出されると、最大引張り力を発生し、この最大出力は以降の引出し量にかかわらず一定である。
【００３６】
このような定荷重ばね４４を備える引張ばね手段１１を採用することによって、可動パネル８を大きな開き角度で開放させても、引張ばね手段１１から可動パネル８への引張り力は一定であり、安定した状態で開放状態から閉鎖状態に角変位させることができる。
【００３７】
また、空隙１０と屋外空間３１との差圧、風や気流の作用によって可動パネル８が空隙１０から屋外空間３１側へ角変位して開放する方向に動作しようとしても、前述したように約１／２回転程度のばね部材５３の引出量によって最大引張り力によって各パネル８を閉鎖する方向にばね付勢することができるので、わずかな風や気流ならびに差圧によって頻繁に可動パネル８が開閉するという不具合を防止することができる。
【００３８】
図５は、壁用伸縮継手装置１を各躯体２ａ，２ｂに取付けるための手順を説明するための分解断面図である。壁用伸縮継手装置１を各躯体２ａ，２ｂの各壁面３ａ，３ｂに取付けるに際しては、一方の見切り縁材５ａにヒンジ手段９によって可動パネル８の幅方向一端部が連結され、引張ばね手段１１のブラケットを他方の見切り縁材５ｂに位置決めして重ねた状態で、定荷重ばね４４のばね部材５３をカバープレート４４の空隙１０に臨む裏面に取付け金具５４および複数のビス５５，５６などによって係止しておき、一方の見切り縁材５ａは、アンカー体４によって、また他方の見切り縁材５ｂは各アンカー体６，７によって各躯体２ａ，２ｂの各壁面３ａ，３ｂにそれぞれ固定した後、カバープレート１４に接着剤層２３を構成する接着剤を塗布して化粧パネル部材１５を貼付け、その周囲にコーキング材２４，２５を打設することによって、壁用伸縮継手装置１を設置することができる。
【００３９】
このように各見切り縁材５ａ，５ｂおよび各見切り部材１６，１７などのように、アルミニウム合金の押出形材によって部品が構成されるので、部品点数が少なくてすみ、製造コストの低減を図り、生産性を向上することができる。また部品点数が少ないことによって、組立て工数が少なく、高い施工性を実現することができる。
【００４０】
図６は壁用伸縮継手装置１の動作を説明するための水平断面図であり、図６（１）は可動パネル８が閉鎖した状態を示し、図６（２）は可動パネル８を開放した状態を示す。各建物の各躯体２ａ，２ｂが静止した状態では、図６（１）に示されるように、可動パネル８は設置当初の状態に維持され、両側の化粧パネル部材２９，３０とほぼ同一の平面を成している。このような状態で、地震または地盤の不等沈下などによって各躯体２ａ，２ｂが相互に近接および離反する方向に相対的変位を生じると、各躯体２ａ，２ｂが相対的に近接したときには、可動パネル８が他方の見切り縁材５ｂの傾斜案内部３５によって隣の化粧パネル部材３０上に案内され、引張ばね手段１１によって空隙１０を開放することなく円滑に他方の躯体２ｂに対するカバーパネル８の相対変位を許容することができる。
【００４１】
また定荷重ばね４のばね部材５３は長いストローク、たとえば１２００ｍｍ程度のストロークを有するので、図６（２）に示されるようにメンテナンス時に可動パネル８を大きな角度で角変位させて、空隙１０に対して広い開口を形成することができ、作業性を向上することができる。
【図面の簡単な説明】
【００４２】
【図１】本発明の実施の一形態の壁用伸縮継手装置１を示す水平断面図である。
【図２】引張りばね手段１１を図１の下方から見た側面図である。
【図３】引張ばね手段１１の斜視図である。
【図４】定荷重ばね４４のばね部材５３の引張り力と引出し量との関係を示すグラフである。
【図５】壁用伸縮継手装置１を各躯体２ａ，２ｂに取付けるための手順を説明するための分解断面図である。
【図６】壁用伸縮継手装置１の動作を説明するための水平断面図である。
【符号の説明】
【００４３】
１  壁用伸縮継手装置
２ａ，２ｂ  躯体
３ａ，３ｂ  壁面
４，６，７  アンカー体
５ａ，５ｂ  見切り縁材
８  可動パネル
９  ヒンジ手段
１０  空隙
１１  引張ばね手段
１４  カバープレート
１５，２９，３０  化粧パネル部材
１６，１７  見切り部材
３１  屋外空間
３５  傾斜案内部
４３  ブラケット
４４  定荷重ばね
４７  保持部
５１  支軸
５２  リール
５３  ばね部材
【図２】
2010106588.tif 000003
【図３】
2010106588.tif 000004
【図４】
2010106588.tif 000005
【図５】
2010106588.tif 000006
【図１】
2010106588.tif 000007
【図６】
2010106588.tif 000008